(57)【要約】      （修正有）【課題】家庭・病院・スーパー等で広範囲に使われている噴出機能付きポンプ式容器を、使う側にとって、より便利に使えるようにする。【解決手段】噴出機能付きポンプ式容器の本体の数箇所に液圧により突出する凸部を設け、指先でこの凸部を触れただけで内容量の水位が確認できるようにした。そして、この噴出機能付きポンプ式容器の本体上部に詰め替え口を設け、一つの容器を使い勝手よく何度も繰り返し使えるようにした。【選択図】なし【特許請求の範囲】
【請求項１】
内容物を噴出させる機能を持つ、ポンプ式容器の本体部に、内容量の液圧にて部分的に突出する凸部を設けたことを特徴とするポンプ式容器。
【請求項２】
請求項１に、内容物の詰め替えが、容易に行える詰め替え口を設け、その口部に取り外し可能な蓋を付属させたことを特徴とする容器。
【発明の詳細な説明】
【技術分野】
【０００１】    本発明は噴出機能を備えたポンプ式容器の本体に、液体がその部位にある場合突出する部分を設け、さらに容器本体の上部に詰め替え口を付属させたポンプ式容器に関するものである。
【背景技術】
【０００２】    現在広範囲に使用されている噴出機能付きポンプ式容器には、形状にこった物が多いが、使用する消費者の利便性に基づき、改良されたものや、アイデアを生かしたものがない。詰め替え商品が出回っているのに、詰め替えにたいする容器本体の工夫もなされていない。
【発明の開示】
【発明が解決しようとする課題】
【０００３】      先ず噴出機能付きポンプ式容器の内容量が、使用者自身にとって分りにくいとされる点。  目の不自由な方々も同じ容器を使用されていること等を考慮されているのかという点。  現実的に多くの方が、詰め替え商品を求め、同じ容器を繰り返し使用されていることに、今現在の噴出機能付きポンプ式容器は使用者のニーズに合っているのかという点などを、課題とした。
【課題を解決するための手段】
【０００４】    本発明は、噴出機能付きポンプ式容器の本体の数箇所に、内容物の確認が容易に行えるように、液圧により凸出するような仕組みを設ける。  凸出するという変化により、指先で触れただけで、内容量の水位が確認できることは、目の不自由な方にとっても内容量の確認ができるということにもなると考える。又内容量の補充や詰め替えが簡単に行えるように、詰め替え口を付属させその蓋も取り外しが容易に出来るものを設けることにより、現在の同じ容器に比べ、詰め替え作業自体がスムーズに行えるという解決策を講じたものである。
【発明の効果】
【０００５】    本発明は、毎日のように使用されている噴出機能付きポンプ式容器において、内容物の水位などが分りにくいとされる点を、凸出部を儲けることによって、健常者・目の不自由な方を問わず内容物の確認が、目・手や指先で行えるということを最大限にアピールしたものである。又詰め替え口が存在することにより、詰め替え時にわざわざポンプ部を外さずに、より簡単・便利に詰め替えが行えるという、使う側の立場に基づいて考案した物である。
【課題を解決するための手段】
【０００６】    本発明では、長年家庭で使用している噴出機能付きポンプ式容器において、一向にこうあれば良いのに、と思っていても欲しいと思う商品が開発されないため、考案したものである。  その最大の問題が、中身である内容物の何処まであるのか？という水位（部位）である。ここまであるという部位を確認するべく、内容物の水圧により突き出る部分があれば、健常者・目の不自由な人を問わず自分の手や目の感覚で確認できるのではないかと思い、この容器の本体の数箇所に凸出部を設けた。又詰め替え商品が販売されているのに、容器自体に詰め替え口が設けられていない。という不備を補うべく、容器の本体上部に、詰め替え口を存在させた。
【図面の簡単な説明】
2010030674.tif 000002
2010030674.tif 000003
【手続補正書】
【提出日】平成21年1月29日(2009.1.29)
【手続補正２】
【補正対象書類名】明細書
【補正対象項目名】全文
【補正方法】変更
【補正の内容】
【発明の詳細な説明】
【技術分野】
【０００１】本発明は噴出機能を備えたポンプ式容器に、液体がその部位にある場合突出する部分を設け、さらに容器本体の上部に詰め替え口を付属させたポンプ式容器に関するものである。
【背景技術】
【０００２】現在広範囲に使用されている噴出機能付きポンプ式容器には、形状にこった物が多いが、使用する消費者の利便性に基づき、改良されたものや、アイデアを生かしたものがない。詰め替え商品が出回っているのに、詰め替えにたいする容器本体の工夫もされていない。
【発明の開示】
【発明が解決しようとする課題】
【０００３】先ず噴出機能付きポンプ式容器の内容量が、使用者自身にとって分かりにくいとされる点。  目の不自由な方々も同じ容器を使用されていること等を考慮されているのかという点。  現実的に多くの方が、詰め替え商品を求め、同じ容器を繰り返し使用されていることに、今現在の噴出機能付きポンプ式容器は使用者のニーズに合っているのかという点などを、課題とした。
【課題を解決するための手段】
【０００４】本発明は、噴出機能付きポンプ式容器の本体の数箇所に、内容物の確認が容易に行えるように、液圧により凸出するような仕組みを設ける。凸出するという変化により、指先で触れただけで、内容量の水位が確認できることは、目の不自由な方にとっても内容量の確認ができるということにもなると考える。又内容量の補充や詰め替えが簡単に行えるように、詰め替え口を付属させその蓋も取り外しが容易に出来るものを設けることにより、現在の同じ容器に比べ詰め替え作業自体がスムーズに行えるという解決策を講じたものである。
【発明の効果】
【０００５】本発明は、毎日のように使用されている噴出機能付きポンプ式容器において、内容物の水位などが分かりにくいとされる点を、凸出部を設けることによって、健常者・目の不自由な方を問わず内容物の確認が、目・手や指先で行えるということを最大限にアピールしたものである。又詰め替え口が存在することにより、詰め替え時にわざわざポンプ部を外さずに、より簡単・便利に詰め替えが行なえるという、使う側の立場に基づいて考案した物である。
【課題を解決するための手段】
【０００６】本発明では、長年家庭で使用している噴出機能付きポンプ式容器において、一向にこうあれば良いのにと思っていても欲しいと思う商品が開発されないため、考案したものである。その最大の問題が、中身である内容物の何処まであるのか？という水位（部位）である。ここまであるという部位を確認するべく、内容物の水圧により突き出る部分があれば、健常者・目の不自由な人を問わず自分の手や目の感覚で確認できるのではないかと思い、この容器の本体の数箇所に凸出部を設けた。又詰め替え商品が販売されているのに、容器自体に詰め替え口が設けられていない。という不備を補うべく容器の本体上部に、詰め替え口を存在させた。
【図面の簡単な説明】
【０００７】
【図１】噴出機能付きポンプ式容器の側面図
【図２】噴出機能付きポンプ式容器の凸出部の構造図
【符号の説明】
【０００８】Ａ−ポンプ式容器本体
Ｂ−噴出機能部分
Ｃ−水圧により凸出する部分
Ｄ−詰め替え口
Ｅ−詰め替え口の蓋
Ｆ−内容物
【手続補正３】
【補正対象書類名】図面
【補正対象項目名】全図
【補正方法】追加
【補正の内容】
【図１】
2010030674.tif 000004
【図２】
2010030674.tif 000005